(57)【特許請求の範囲】
【請求項１】
メインバルブの二次側圧力を信号とし、一次側圧力を駆動圧力として作動するパイロット式ガバナにおいて、ガバナユニット内の二次側配管に流路の曲がり部を形成すると共に、曲がり部には、下流側の二次側配管とは逆側に整圧管挿入口を構成し、パイロットに連なる整圧管を挿入口から下流側の二次側配管内に挿入して気密的に支持して、その開口端を下流側に適宜離れた二次側配管内に位置させる構成としたことを特徴とするパイロット式ガバナの整圧管設置機構
【請求項２】
曲がり部はＴ型管継手により構成し、上流側の二次側配管を横側の開口端に接続すると共に、他の開口端の一方側に下流側の二次側配管を接続し、他の開口端の他方側を整圧管挿入口として、整圧管を蓋板により気密的に支持する構成としたことを特徴とする請求項１記載のパイロット式ガバナの整圧管設置機構
【請求項３】
ガバナユニットは、予め整圧管を挿入口に気密的に支持すると共に、下流側の二次側配管と整圧管を外壁から適宜長さ突出した構成とし、現場において、二次側配管の開口端を埋設側配管の開口端に溶接により接合する構成としたことを特徴とする請求項１又は２記載のパイロット式ガバナの整圧管設置機構
【請求項４】
整圧管は、二次側配管の内壁から離れた位置に配設し、開口端側を支持部材により支持することを特徴とする請求項１、２又は３記載のパイロット式ガバナの整圧管設置機構
【請求項５】
整圧管は、二次側配管の底壁に沿って配設し、適所を底壁に溶接して支持することを特徴とする請求項１、２又は３記載のパイロット式ガバナの整圧管設置機構
【請求項６】
整圧管は管継手により延長管を接合する構成とすると共に、埋設側配管に延長管の先端側の支持部材を設置することを特徴とする請求項４又は５記載のパイロット式ガバナの整圧管設置機構
【請求項７】
整圧管は、延長管により開口端を埋設側配管のレジューサ部から下流側に離れた位置に構成することを特徴とする請求項６記載のパイロット式ガバナの整圧管設置機構
【発明の詳細な説明】
【０００１】
【産業上の利用分野】
本発明はパイロット式ガバナの整圧管設置機構に関するものである。
【０００２】
【従来の技術】
パイロット式ガバナにおいて二次側圧力をパイロットに伝達する整圧管は、圧力の安定している個所、即ちガバナのメインバルブから必要な距離をおいた二次側配管の下流側個所から取り出す必要がある。そしてガバナはメインバルブの前後に必要な入出力バルブ、フィルタ、遮断弁等の装置を工場でユニット化して製作しているが、このユニット内では上記必要な距離をとることができないので、整圧管をユニット内で二次側配管に接続することはできない。
【０００３】
従って、整圧管はユニット設置後、ここから少し離れた二次側配管の個所から取り出すように現場で施工している。例えば、地上設置のガバナでは、図４に示すようにガバナユニット１の下方を掘削してメインバルブ２から離れた個所において、その開口端８を二次側配管３の横側に溶接して取り付けている。また地下設置のガバナでは、図５に示すように、ガバナユニット１を防護しているコンクリート壁５の更に外側を掘削して整圧管の開口端を二次側配管３の横側に溶接して取り付け、その上方には防護用の鉄板６を埋設している。尚、図中符号７はパイロットであり、この図４の構成ではパイロット７はガバナユニット１の外側に設置しており、また図５の構成ではパイロット７はガバナユニット１内に設置している。尚、符号９は一次側配管を示すものである。
【０００４】
【発明が解決しようとする課題】
以上の従来技術では、整圧管を設置する際、整圧管の開口端を二次側配管の横側に溶接により接合する作業が必要で、熟練を必要とし、時間もかかる。
また整圧管は、地中に露出しているので、▲１▼他の事業者による工事等におい
て損傷を受ける可能性がある、▲２▼腐食等の可能性がある、▲３▼二次側配管に比
較して細いので地震等による地盤の変動で破損する危険性が高い。
従って本発明は、これらの課題を解決することを目的とするものである。
【０００５】
【課題を解決するための手段】
本発明では上記の課題を解決するために、メインバルブの二次側圧力を信号とし、一次側圧力を駆動圧力として作動するパイロット式ガバナにおいて、ガバナユニット内の二次側配管に流路の曲がり部を形成すると共に、曲がり部には、下流側の二次側配管とは逆側に整圧管挿入口を構成し、パイロットに連なる整圧管を挿入口から下流側の二次側配管内に挿入して気密的に支持して、その開口端を下流側に適宜離れた二次側配管内に位置させる構成とした整圧管設置機構を提案する。
【０００６】
また本発明では、上記の構成において、曲がり部はＴ型管継手により構成し、上流側の二次側配管を横側の開口端に接続すると共に、他の開口端の一方側に下流側の二次側配管を接続し、他の開口端の他方側を整圧管挿入口として、整圧管を蓋板により気密的に支持する構成とすることを提案する。
【０００７】
更に本発明では、上記の構成において、ガバナユニットは、予め整圧管を挿入口に気密的に支持すると共に、下流側の二次側配管と整圧管を外壁から適宜長さ突出した構成とし、現場において、二次側配管の開口端を埋設側配管の開口端に溶接により接合することを提案する。
【０００８】
またこの構成において整圧管は、二次側配管の内壁から離れた位置に配設し、開口端側を支持部材により支持すること、または二次側配管の底壁に沿って配設し、適所を底壁に溶接して支持することを提案する。
【０００９】
そしてこの構成において整圧管には管継手により延長管を接合する構成とし、埋設側配管に延長管の先端側の支持部材を設置することを提案する。そしてこの構成において整圧管は延長管により開口端を埋設側配管のレジューサ部から下流側に離れた位置に構成することを提案する。
【００１０】
【作用】
整圧管は二次側配管の曲がり部に構成した挿入口から適宜長さ挿入し、挿入口個所において気密的に支持することにより、開口端を容易に二次側配管内の下流側に位置させることができる。従って現場において整圧管の開口端を二次側配管の横側に溶接により接合する面倒な作業が不要となる。
【００１１】
ガバナユニットとして、予め整圧管を挿入口に気密的に支持すると共に、下流側の二次側配管と整圧管を外壁から適宜長さ突出した構成としておけば、現場における溶接作業は二次側配管の接合のみとなるので作業が容易となる。
【００１２】
整圧管は管継手により延長管を接合する構成とすれば、簡単な現場作業で開口端を二次側配管の十分な下流側に位置させることができる。この際、整圧管を二次側配管の内壁から離れた位置に配設する構成においては、整圧管の先端側は、支持部材により二次側配管に支持することにより、二次側配管内を流れる流体の流速による振動の発生を防止することができる。
【００１３】
また整圧管を二次側配管の底壁に沿って配設し、適所を底壁に溶接して支持する構成では、支持部材を用いずに二次側配管内を流れる流体の流速による整圧管の振動の発生を防止することができる。
【００１４】
【実施例】
次に本発明の実施例を説明する。まず図１、図２は本発明の実施例１を表したもので、これらの図において従来例を示す図３と図４中の構成要素に相当する構成要素は同一の符号を付している。
図１はガバナユニット１の構成要素の一部を示すもので、このガバナユニット１は図４のものと同様に地下設置のガバナに対応するものである。符号２はメインバルブで、メインバルブ２の上流側には一次側配管８、下流側には二次側配管３ａが接続されている。この二次側配管３ａは上流側の二次側配管を示すもので、下流側の二次側配管３ｂ間にＴ型管継手９を接続して流路の曲がり部１０を構成している。即ち、上流側の二次側配管３ａは管継手９の横側の開口端１１ａにフランジ接続等により接続すると共に、開口端１１ｂに下流側の二次側配管３ｂを接続している。そして下流側の二次側配管３ｂはガバナユニット１の側壁１２から適宜長さ突出させている。
【００１５】
一方、Ｔ型管継手９の開口端１１ｃはパイロット７に連なる整圧管４の挿入口として構成している。整圧管４は曲がり部１３よりも先端側を挿入口１１ｃから管継手９を経て二次側配管３ｂ内に挿入し、その開口端１４を二次側配管３ｂの開口端１５よりも突出させている。整圧管４の曲がり部１３の近傍には蓋板１６を溶接により気密的に取付けており、そして蓋板１６はＴ型管継手９の開口端１１ｃに溶接により気密的に取付けて、整圧管４を二次側配管３ｂ内に同軸状に支持しており、この整圧管４の開口端１６は二次側配管３ｂの開口端１５よりも突出させている。
【００１６】
図２は図１に示すガバナユニット１を設置した状態を示すもので、符号１７は埋設側配管を示すもので、この埋設側配管１７にはレジューサ部１８を設けている。この構成において二次側配管３ｂの開口端１５は、埋設側配管１７の開口端１９に符号２０で示すように溶接により接合している。即ち符号２０は接合部を示すものである。一方、この溶接作業に先んじて、整圧管４の開口端１５には管継手２１により延長管２２の開口端２３を接合し、また延長管２２の他の開口端２４側は埋設側配管１７に突設した支持部材２５に支持している。この支持部材２５は例えばバンド状の構成とすることができる。
【００１７】
以上の構成では、整圧管４は延長管２２により開口端２４がレジューサ部１８から下流側に離れた位置に支持されるので、レジューサ部１８における流体の乱れの影響をなくして整圧性能の向上を図ることができる。
【００１８】
以上の他、整圧管４は延長管２２を接合せずに予め所定の長さに構成しておくこともできるし、また現場において挿入口１１ｃから挿入して気密的に取り付けるように構成することもできる。
【００１９】
次に図３は本発明の実施例２を表したもので、図１、図２の構成要素に相当する構成要素は同一の符号を付している。
この実施例の構成は、概ね図１、図２のものと同様であるが、整圧管４は二次側配管の底壁に沿って配設している点が異なっている。即ち、整圧管４は曲がり部１３よりも先端側において蓋板１６を偏心させて溶接により気密的に取付け、この蓋板１６をＴ型管継手９の開口端１１ｃに溶接により取付けて、Ｔ型管継手９及び二次側配管３ｂの底壁に沿って配設している。そして個所２６ａ，２６ｂ，２６ｃで溶接して各底壁に固定している。
【００２０】
図１、図２の構成と同様に、二次側配管３ｂの開口端１５にはレジューサ部１８を設けた埋設側配管１７の開口端１９を溶接により接合する構成としており、一方、整圧管４は、二次側配管３ｂを埋設側配管１７に接合した際に、その開口端２４がレジューサ部１８から渦流側に離れた位置に対応するように長く構成し、またレジューサ部１８に対応させて段状部分２７を形成している。
【００２１】
以上の構成においては、整圧管４はレジューサ部１８の上流側の個所２６ｄ等で溶接して埋設側配管１７のレジューサ部１８の下流側の底壁部に開口端１９を位置させて支持している。整圧管４は、開口端１９までを一体とした構成とする他、図１、図２の構成と同様に、開口端１９側を接合により延長させるように構成することもできる。
【００２２】
【発明の効果】
本発明は以上のとおりであるので、以下に示す効果がある。
▲１▼現場において整圧管の開口端を二次側配管の横側に溶接により接合する作
業が不要となるので、熟練を必要とせず、設置の時間が短縮される。
▲２▼ガバナユニット外において整圧管は二次側配管内にあるので、（イ）他の事業者による工事等における損傷事故を防止することができる、（ロ）腐食がし難い、（ハ）地盤の変動に強い。
【図面の簡単な説明】
【図１】本発明の整圧管設置機構を地下設置のガバナに適用する場合のガバナユニットの構成の一例を概念的に示す説明図である。
【図２】図１のガバナユニットを設置した状態を概念的に示す説明図である。
【図３】本発明の整圧管設置機構を地下設置のガバナに適用した構成の他例を概念的に示す説明図である。
【図４】地上設置のガバナにおける従来の整圧管設置機構の構成を概念的に示す説明図である。
【図５】地下設置のガバナにおける従来の整圧管設置機構の構成を概念的に示す説明図である。
【符号の説明】
１                                ガバナユニット
２                                メインガバナ
３                                二次側配管
４                                整圧管
５                                コンクリート壁
６                                鉄板
７                                パイロット
８                                一次側配管
９                                Ｔ型管継手
１０                              曲がり部
１１ａ，１１ｂ                    開口端
１１ｃ                            開口端（整圧管挿入口）
１４，１６，１９，２３，２４      開口端
１２                              側壁
１３                              曲がり部
１６                              蓋板
１７                              埋設側配管
１８                              レジューサ部
２０                              接合部
２１                              管継手
２２                              延長管
２５                              支持部材
２６（２６ａ，２６ｂ，２６ｃ，２６ｄ，）            溶接個所
２７                              段状部分
【図１】
0003549061.tif 000002
【図２】
0003549061.tif 000003
【図３】
0003549061.tif 000004
【図４】
0003549061.tif 000005
【図５】
0003549061.tif 000006